(57)【要約】【課題】住戸人の不在時に、ドアホンを使用することによって住戸人が留守であることを確認しようとした場合、住戸への不法侵入を防止することができるインターホンシステムを提供することを目的とする。【解決手段】呼出釦と通話回路とを具備するドアホンが設けられ、上記呼出釦が押されたことを検出する呼出検出回路と、上記ドアホンの通話回路との間で通話する通話回路とを具備する住宅情報盤が設けられているインターホンシステムにおいて、呼出釦が、所定時間以上の間隔で、２度押されたら、泥棒による確認行為であると判断し、ドアホンのスピーカから警告用の音声を出力するインターホンシステムである。【選択図】図１
2009239619.tif 000002
【特許請求の範囲】
【請求項１】
呼出釦と通話回路とを具備するドアホンが設けられ、上記呼出釦が押されたことを検出する呼出検出回路と、上記ドアホンの通話回路との間で通話する通話回路とを具備する住宅情報盤が設けられているインターホンシステムにおいて、
上記住宅情報盤は、
上記ドアホンの呼出釦が押されてから、次に押されるまでの時間間隔を計測するタイマと；
上記タイマが計測した時間間隔が所定値以上であるかどうかを判断する判断手段と；
上記判断手段が上記計測した時間間隔が上記所定値以上であることを判断すると、上記ドアホンから警告音を発生させる警告手段と；
を有することを特徴とするインターホンシステム。
【請求項２】
請求項１において、
上記警告手段は、
警告用の音声メッセージに対応する音声信号を記憶している音声合成手段を有し、上記計測した時間間隔が上記所定値以上であると、上記音声合成手段に記憶されている音声信号に対応する上記音声メッセージを、上記ドアホンから出力させる手段であることを特徴とするインターホンシステム。
【請求項３】
請求項２において、
上記警告手段は、上記住宅情報盤の通話回路に接続され、上記判断手段が、上記計測した時間間隔が上記所定値以上であると判断すると、上記住宅情報盤に設けられている通話用スイッチを閉じ、上記住宅情報盤に設けられている通話回路と上記ドアホンに設けられている通話回路とを接続させる手段であることを特徴とするインターホンシステム。
【発明の詳細な説明】
【技術分野】
【０００１】
本発明は、インターホンシステムに関する。
【背景技術】
【０００２】
集合住宅のインターホンシステムにおいて、各住戸に設置されている住宅情報盤と、管理員室に設置されている管理員室親機と、集合玄関に設置されている集合玄関機とを有し、上記各機器間で、インターホン通話するシステムが知られている（たとえば、特許文献１参照）。
【０００３】
住宅情報盤には、玄関先にドアホンが設置され、このドアホンと上記住宅情報盤との間でも、インターホン通話することができる。
【特許文献１】特開２００３−３４６２５９号公報
【発明の開示】
【発明が解決しようとする課題】
【０００４】
ドアホンの呼出釦を押すことによって、住戸内の住戸人を呼び出すことができるが、このドアホンを、泥棒等の侵入者が悪用する場合がある。つまり、住戸へ不法侵入しようとする者は、ドアホンの呼出釦を操作し、住戸人が留守であるかどうかを調べる。すなわち、侵入者は、呼出釦を操作し、その応答がなければ、住戸人が留守であり、侵入可能であると判断する。
【０００５】
本発明は、住戸人の不在時に、ドアホンを使用することによって住戸人が留守であることを確認しようとした場合、住戸への不法侵入を防止することができるインターホンシステムを提供することを目的とする。
【課題を解決するための手段】
【０００６】
本発明は、インターホンシステムにおいて、呼出釦が、所定時間以上の間隔で、２度押されたら、泥棒による確認行為であると判断し、ドアホンのスピーカから警告用の音声を出力するインターホンシステムである。
【発明の効果】
【０００７】
本発明によれば、住戸人の不在時に、ドアホンを使用することによって住戸人が留守であることを確認しようとした場合、住戸への不法侵入を未然に防止することができるという効果を奏する。
【発明を実施するための最良の形態】
【０００８】
発明を実施するための最良の形態は、以下の実施例である。
【実施例１】
【０００９】
図１は、本発明の実施例１であるインターホンシステム１００を示すブロック図である。
【００１０】
インターホンシステム１００は、ドアホン１０と、住宅情報盤ＪＢとを有する。ドアホン１０と住宅情報盤ＪＢとは、通話線Ｌを介して接続されている。通話線Ｌは、電源線を兼用した通話線である。
【００１１】
ドアホン１０は、呼出釦１１と、呼出回路１２と、通話回路１３と、電源回路１４と、マイクＭＣ１と、スピーカＳＰ１とを有する。
【００１２】
呼出回路１２は、ドアホン１０の呼出釦１１が押されたことを検出し、この検出によって、通話線Ｌの電圧をたとえば５Ｖから２Ｖに低下させる。
【００１３】
通話回路１３は、住宅情報盤ＪＢの通話回路２６と通話する回路である。
【００１４】
住宅情報盤ＪＢは、制御手段２１と、呼出検出回路２２と、タイマ２３と、呼出音発生回路２４と、操作手段２５と、通話回路２６と、記憶手段２７と、音声合成手段２８と、マイクＭＣ２と、スピーカＳＰ２と、通話用スイッチＳＷ１と、電源供給回路ＰＳ１とを有する。
【００１５】
制御手段２１は、住宅情報盤ＪＢの全体を制御する。
【００１６】
呼出検出回路２２は、ドアホン１０の呼出釦１１が押されると通話線Ｌの電圧がたとえば５Ｖから２Ｖに低下し、この電圧低下を検出することによって、ドアホン１０の呼出釦１１が押されたと認識する。
【００１７】
タイマ２３は、ドアホン１０の呼出釦１１が押されてから、次に押されるまでの時間間隔を計測する。
【００１８】
呼出音発生回路２４は、ドアホン１０の呼出ボタン１１が押されると、「ピンポン」等の呼出音を発生する回路である。操作手段２５は、図示しない通話釦を具備する。
【００１９】
通話回路２６は、ドアホン１０の通話回路１３と通話する回路である。
【００２０】
記憶手段２７は、所定値（閾値ｔｓ）を記憶している。音声合成手段２８は、「録画を開始します」等の警告用の音声メッセージに対応する音声信号を記憶している。
【００２１】
通話用スイッチＳＷ１は、ドアホン１０の呼出釦１１が押された際、操作手段２５の通話釦が押されると、制御手段２１によってオンされ、ドアホン１０の通話回路１３と住宅情報盤ＪＢの通話回路２６とを接続する。
【００２２】
制御手段２１は、タイマが計測した時間間隔が所定値以上であるかどうかを判断する判断手段の例である。制御手段２１と音声合成手段２８と記憶手段２７とは、上記判断手段がタイマが計測した時間間隔が所定値以上であると判断すると、ドアホンから警告音を発生させる警告手段の例である。
【００２３】
この警告手段は、警告用の音声メッセージ（「録画を開始します」等）に対応する音声信号を記憶している音声合成手段を有し、上記計測した時間間隔が上記所定値以上であると、上記音声合成手段に記憶されている音声信号に対応する上記音声メッセージを、上記ドアホンから出力させる手段である。
【００２４】
また、上記警告手段は、住宅情報盤ＪＢの通話回路２６に接続され、上記判断手段が、計測した時間間隔が上記所定値以上であると判断すると、住宅情報盤ＪＢに設けられている通話用スイッチＳＷ１を閉じ、住宅情報盤ＪＢに設けられている通話回路２６とドアホン１０に設けられている通話回路１３とを接続させる手段である。
【００２５】
次に、上記実施例の動作について説明する。
【００２６】
まず、住戸人が在宅しているときにおける通常通話の動作について説明する。
【００２７】
訪問者がドアホン１０の呼出釦１１を押すと、呼出回路１２が、通話線Ｌの電圧を低下させ、たとえば、５Ｖから２Ｖに低下させることによって呼出信号を送信する。住宅情報盤ＪＢでは、呼出釦１１が押されたことを呼出検出回路２２が検出し、つまり、通常５Vの電圧が、たとえば２Vに低下したことを検出し、呼出音発生回路２４がスピーカＳＰ２を介して、「ピンポン」等の呼出音を出力する。
【００２８】
ここで、住戸人が、操作手段２５に設けられている通話釦を操作すると、制御手段２１が通話用スイッチＳＷ１が閉じ、ドアホン１０の通話回路１３と住宅情報盤ＪＢの通話回路２６とが接続され、両者間で通話を行うことができる。
【００２９】
なお、訪問者がドアホン１０の呼出釦１１が押されたことを呼出検出回路２２が検出すると、制御手段２１が、タイマ２３を起動させる。住戸人が通話釦の操作によって応答すると、タイマ２３によるカウントを中止し、リセットする。
【００３０】
図２は、上記実施例における動作を示すタイミングチャートである。
【００３１】
住戸人が留守であれば、１回目の呼出に応答することができず、訪問者は、もう一度、呼出釦１１を押す。訪問者が、前回の呼出釦１１の操作からあまり間隔をあけずに（たとえば１０秒間以内に）、再度、呼出釦１１を押すと、スピーカＳＰ２から、呼出音が再度鳴動し、また、制御手段２１が先に起動したタイマ２３を停止させる。
【００３２】
つまり、ドアホン１０の呼出釦１１が連続して押されると、住宅情報盤ＪＢの制御手段２１は、呼出釦１１が押された時間間隔をタイマ２３に計測させる。この時間間隔が、図２（１）に示すように、所定値（閾値ｔｓ、たとえば１０秒間）以上であるかどうかを、制御手段２１が判断する。呼出釦１１の連続操作の時間間隔ｔ１が、所定値（閾値ｔｓ）よりも短ければ、通常の訪問者による呼出釦１１の操作であると判断し、警報を行わず、先に起動したタイマ２３が、そのカウントを停止する。
【００３３】
次に、住戸人が留守であるときに泥棒が、ドアホン１０を押した場合の動作について説明する。
【００３４】
泥棒は、住戸内に人がいるかどうかを調べるために呼出釦１１を操作するのであり、呼出釦１１を押してから、応答がない場合、ある程度の時間を待って、それから再度、呼出釦１１を押すという行動パターンがある。したがって、住宅情報盤ＪＢからの応答が無く、呼出釦１１を連続して操作する場合、呼出釦１１の１回目の操作と２回目の操作との時間間隔が比較的長い。したがって、タイマ２３が計測した時間間隔の値は、たとえば１０秒間以上である。図２（２）に示すように、上記時間間隔ｔ２が所定値（閾値ｔｓ、たとえば１０秒間）以上であると、制御手段２１が判断すると、制御手段２１は、警告手段を動作させ、ドアホン１０から警告する。
【００３５】
つまり、音声合成手段２８に予め記憶した警告用の音声メッセージである「録画を開始します」または「記録を開始します」を、ドアホン１０のスピーカＳＰ１から出力させる。この際に、制御手段２１は、通話用スイッチＳＷ１を閉じ、通話回路１３と通話回路２６とを接続し、上記音声メッセージをドアホン１０に送信する。
【００３６】
このようにすれば、ドアホン１０を操作している泥棒は、「録画を開始します」または「記録を開始します」というメッセージに威嚇され、住戸への侵入を断念する。よって、ドアホン１０を使って、住戸人の不在を調べた場合、たとえ不在時でも、住戸への侵入を未然に防止することができる。
【００３７】
音声メッセージを出力した後は、通話用スイッチＳＷ１は元の状態に戻すように制御される。
【００３８】
なお、上記実施例は、ドアホン１０にカメラが設置されず、また、住宅情報盤ＪＢに録画機能が設けられていない例であるが、「録画を開始します」という警告だけでなく、実際に、カメラ等が付加されているシステムであれば、カメラを駆動させ、住宅情報盤ＪＢに設けられている録画機能を動作させるようにしてもよい。
【００３９】
なお、タイマとしては、ドアホンの呼出釦が押されてから、次に押されるまでの時間間隔を計測できるものであれば、どのようなものでもよく、たとえば、時計部として常に時刻情報を発信するタイマであってもよい。この場合は、１回目にドアホンの呼出釦が押された時刻と、２回目にドアホンの呼出釦が押された時刻とを読み込んで、それらの差から時間間隔を計測する。
【図面の簡単な説明】
【００４０】
【図１】本発明の実施例１であるインターホンシステム１００を示すブロック図である。
【図２】上記実施例における動作を示すタイミングチャートである。
【符号の説明】
【００４１】
１００…インターホンシステム、
１０…ドアホン、１１…呼出釦、１２…呼出回路、１３…通話回路、ＪＢ…住宅情報盤、
２１…制御手段、２２…呼出検出回路、２３…タイマ、２７…記憶手段、２８…音声合成手段。
【図１】
2009239619.tif 000003
【図２】
2009239619.tif 000004